(57)【要約】【課題】長期間にわたり安定した操作性が維持でき、かつ、生産工程における水漏れ検査を削減することができる排水栓を備えた貯湯式給湯機を提供すること。【解決手段】貯湯タンク１に貯えられた湯水を排水する排水管３と、前記排水管３に接続され、排水の開閉を行うボール１０を具備した排水栓２とを備え、前記排水栓２は、排水の流入路１１、前記ボール１０を内設したボール室１３、排水の流出路１２から構成され、前記ボール１０を、前記流入路１１に設けられ連通口１８を有する支持片１９と、前記流出路１２に設けられたシート１４とで支持することで、前記流入路１１と前記ボール室１３とを連通させる構成としたことを特徴とする貯湯式給湯機。【選択図】図２
2013185736.tif 000002
【特許請求の範囲】
【請求項１】
湯水を貯える貯湯タンクと、前記貯湯タンクに貯えられた湯水を排水する排水管と、前記排水管に接続され、排水の開閉を行うボールを具備した排水栓とを備え、前記排水栓は、排水の流入路、前記ボールを内設したボール室、排水の流出路から構成され、前記ボールを、前記流入路に設けられ連通口を有する支持片と、前記流出路に設けられたシートとで支持することで、前記流入路と前記ボール室とを連通させる構成としたことを特徴とする貯湯式給湯機。
【発明の詳細な説明】
【技術分野】
【０００１】
本発明は、貯湯式給湯機の排水を行う排水栓に関するものである。
【背景技術】
【０００２】
従来、この種の貯湯式給湯機は、貯湯タンク排水用に排水栓を貯湯タンクの下部に設け、排水栓に内蔵したボールを開閉して排水の開閉を行い、ボールの流入側と流出側に各々止水用シートを設けて止水するのが一般的である。
【０００３】
このようなボール式排水栓の類似構成が記載されており、図示されていないがボール状の開閉弁の流入側と流出側に各々止水用シートを設けて止水する構成である（例えば、特許文献１参照）。
【０００４】
従来の貯湯式給湯機の排水栓は、図４、図５に示す構造となっている。図４において、排水の流入路１０１と流出路１０３の中間部に、ボール操作ハンドル１０７を嵌合したボール１００を配置し、ボール１００の流入側と流出側に各々、弾性を有する第１シート１０２と第２シート１０４を設けてボール１００に密着押圧し、面圧を加えて止水する構成としている。
【０００５】
さらにボール１００への面圧が低下するのを防止するため、第１シート１０２と第２シート１０４は背面に各々、バックアップのＯリング１０５とＯリング１０６を備え、その反発力で第１シート１０２と第２シート１０４をボール１００へ付勢することにより、止水性とボールの回転安定性を維持している。
【０００６】
一方、生産工程における水漏れ検査は、図４に示す閉栓状態での水漏れ検査と図５に示す開栓状態での水漏れ検査の２種類の検査が必要となる。特に図５に示す開栓状態での水漏れ検査は、ボール操作ハンドル１０７のＯリング１０９からの水漏れを検査するために、ボール１００を半開にしてボール室１０８へ通水して水漏れ検査を行っている。
【先行技術文献】
【特許文献】
【０００７】
【特許文献１】特開２０１０−２０６１号公報
【発明の概要】
【発明が解決しようとする課題】
【０００８】
しかしながら、貯湯式給湯機において貯湯タンクの排水は、貯湯タンク内の清掃のために行うのが一般的で、通常年間１〜２回程度、場合によっては長年排水せずに閉栓状態のまま放置されることもある。このような使用状況のなかで、前記従来の貯湯式給湯機の排水栓構成は、ボールと各シートが面圧により固着してボールを回転させる開栓操作ができない、あるいは、操作力が過大となるなど年月が経過するにつれて操作性が低下する課題があった。
【０００９】
また、生産工程における水漏れ検査は、閉栓状態での水漏れ検査と半開状態にしてボール操作ハンドル部の水漏れ検査の２種類の検査が必要なため、検査時間を要する課題があった。
【００１０】
本発明は、前記従来の課題を解決するもので、長期間にわたり安定した操作性が維持でき、かつ、生産工程における水漏れ検査を削減することができる排水栓を備えた貯湯式給
湯機を提供することを目的とする。
【課題を解決するための手段】
【００１１】
前記従来の課題を解決するために、本発明の貯湯式給湯機は、湯水を貯える貯湯タンクと、前記貯湯タンクに貯えられた湯水を排水する排水管と、前記排水管に接続され、排水の開閉を行うボールを具備した排水栓とを備え、前記排水栓は、排水の流入路、前記ボールを内設したボール室、排水の流出路から構成され、前記ボールを、前記流入路に設けられ連通口を有する支持片と、前記流出路に設けられたシートとで支持することで、前記流入路と前記ボール室とを連通させる構成としたことを特徴とするものである。
【００１２】
これにより、ボールとシートの接触面積が半減し、回転操作時の接触抵抗が減少するため、長期間放置後の固着による操作性の低下を防止でき、操作性が向上するとともに、前記流入路と前記ボール室を連通する構成としたことにより、閉栓状態の水漏れ検査工程でボール室まで通水され、ボール操作ハンドル部の水漏れの有無が同時に検査できるため、半開状態での検査が不要となり検査時間が短縮できる。
【発明の効果】
【００１３】
本発明によれば、長期間にわたり安定した操作性が維持でき、かつ、生産工程における水漏れ検査を削減することができる排水栓を備えた貯湯式給湯機を提供できる。
【図面の簡単な説明】
【００１４】
【図１】本発明の実施の形態１における貯湯式給湯機の構成図
【図２】（ａ）本発明の実施の形態１における貯湯式給湯機の排水栓の閉栓状態の上方断面図（ｂ）同貯湯式給湯機の排水栓の閉栓状態の側方断面図
【図３】（ａ）本発明の実施の形態１における貯湯式給湯機の排水栓の開栓状態の上方断面図（ｂ）同貯湯式給湯機の排水栓の開栓状態の側方断面図
【図４】（ａ）従来の貯湯式給湯機の排水栓の閉栓状態の上方断面図（ｂ）同貯湯式給湯機の排水栓の閉栓状態の側方断面図
【図５】（ａ）従来の貯湯式給湯機の排水栓の開栓状態の上方断面図（ｂ）同貯湯式給湯機の排水栓の開栓状態の側方断面図
【発明を実施するための形態】
【００１５】
第１の発明は、湯水を貯える貯湯タンクと、前記貯湯タンクに貯えられた湯水を排水する排水管と、前記排水管に接続され、排水の開閉を行うボールを具備した排水栓とを備え、前記排水栓は、排水の流入路、前記ボールを内設したボール室、排水の流出路から構成され、前記ボールを、前記流入路に設けられ連通口を有する支持片と、前記流出路に設けられたシートとで支持することで、前記流入路と前記ボール室とを連通させる構成としたことを特徴とする貯湯式給湯機である。
【００１６】
これにより、ボールとシートの接触面積が半減し、回転操作時の接触抵抗が減少するため、長期間放置後の固着による操作性の低下を防止でき、操作性が向上するとともに、前記流入路と前記ボール室を連通する構成としたことにより、閉栓状態の水漏れ検査工程でボール室まで通水され、ボール操作ハンドル部の水漏れの有無が同時に検査できるため、半開状態での検査が不要となり検査時間が短縮できる。
【００１７】
以下、本発明の実施の形態について、図面を参照しながら説明する。なお、この実施の形態によって本発明が限定されるものではない。
【００１８】
（実施の形態１）
図１は、本発明の実施の形態における貯湯式給湯機の構成図である。図２は、本発明の
実施の形態における貯湯式給湯機の排水栓の閉栓状態の断面図である。図３は、本発明の実施の形態における貯湯式給湯機の排水栓の開栓状態の断面図である。
【００１９】
図１において、本発明の貯湯式給湯機は、熱源ユニット５と貯湯ユニット４とから構成されている。熱源ユニット５は、循環冷媒を圧縮して高温を得るヒートポンプサイクルで構成される熱源部６と、熱交換部７を接続した回路からなり、ヒートポンプサイクル内には、例えば、二酸化炭素冷媒が循環している。
【００２０】
筐体で覆われた貯湯ユニット４内部には、貯湯タンク１と貯湯タンク１の下部から水道水を供給する給水管２４と、貯湯タンク１の排水を行う排水栓２と、貯湯タンク１の下部と排水栓２とを接続する排水管３と、貯湯タンク１の下部から熱交換部７へ水を送水する循環ポンプ８と、貯湯タンク１の上部へ加熱された湯水を供給する循環水路２３とを備えている。
【００２１】
そして給湯回路は、貯湯タンク１上部から湯水を取出す出湯管９と、沸き上げ中の膨脹水を排水する逃がし弁２１と、貯湯タンク１からの湯水と給水管２４からの水を混合し、所定温度の湯水を蛇口へ供給する給湯混合弁２６とを備えている。
【００２２】
さらに風呂回路は、貯湯タンク１上部から湯水を取出す出湯管９と、出湯管９から分岐した風呂出湯管２２と、貯湯タンク１からの湯水と給水管２４からの水を混合し、所定温度の湯水を風呂へ供給する風呂混合弁２７とを備えている。
【００２３】
図２は、排水栓の閉栓状態の断面図である。図２において、排水栓２は、貯湯タンク１の湯水を排水する排水管３と接続する流入路１１と、排水を開閉するボール１０を保持するボール室１３と、排水を機器外部へ排水する流出路１２とを備え、ボール操作ハンドル１６を嵌合したボール１０を流入路１１に設けた回転ガイド用の支持片１９と流出路１２に設けた排水を止水する環状のシート１４で支持してボール室１３を形成している。
【００２４】
そして、シート１４の背面には、バックアップのＯリング１５を設け、その反発力でシート１４をボール１０へ付勢し、止水するとともにボール操作ハンドル１６には、Ｏリング１７を装着して水漏れを防止している。また、流入路１１には、連通口１８を設けて流入路１１とボール室１３とを連通した構成としている。
【００２５】
図３は、排水栓の開栓状態の断面図で、ボール操作ハンドル１６を回転操作したボール１０の開状態を示し、排水は流入路１１からボール１０を通り流出路１２を経て機器外部へ排水される。
【００２６】
以上のように構成した排水栓を備えた貯湯式給湯機について、以下その動作、作用を説明する。
【００２７】
まず、貯湯タンク１へ湯を供給する沸き上げ運転動作を説明する。沸き上げ運転を開始すると、熱源ユニット５内のヒートポンプシステムで構成された熱源部６は、冷媒温度を上げながら冷媒を熱交換部７へ供給する。一方、循環水路２３内では、循環ポンプ８が駆動し、貯湯タンク１下部の水が熱交換部７へ流入し、ここで冷媒から水へ熱交換が行われ、水が温水となって貯湯タンク１へと供給される。この時、貯湯タンク１内の膨脹水は、逃がし弁２１から排水される。
【００２８】
次に、貯湯式給湯機の通常運転中の排水栓２の閉栓状態について説明する。排水栓２はボール１０を流入路１１に設けた回転ガイド用の支持片１９と、流出路１２に設けた排水を止水する環状のシート１４で支持してボール室１３を形成する構成のため、貯湯タンク
１に貯えられた湯水は、流入路１１から連通口１８を通りボール室１３を満水にする。
【００２９】
その際、ボール１０は流入路１１から常に貯湯タンク１内の水圧を受圧するため、シート１４を流出路１２方向へ押圧した状態となる。一方、シート１４は、背面のバックアップのＯリング１５の反発力でボール１０へ付勢されるため、ボール１０とシート１４は互いに密着し、排水を止水する。
【００３０】
このようにボール１０が流入路１１から常に貯湯タンク１内の水圧を受圧し、シート１４を流出路１２方向へ押圧する構成とし、一方、シート１４は、背面のバックアップのＯリング１５の反発力でボール１０へ付勢する構成としたことから、シート２枚でボールを挟み込む従来構成に比べ、シートを１枚にしてボールとシートの接触面積を半減しても、ボールとシートは互いに密着し、排水を止水することができる。
【００３１】
さらに、貯湯タンク１に貯えられた湯水は、流入路１１から連通口１８を通りボール室１３を満水にして、ボール操作ハンドル１６に装着したＯリング１７も水圧を受ける構成としたことから、閉栓状態の水漏れ検査工程でボール操作ハンドル部の水漏れの有無が同時に検査できるため、半開状態での検査が不要となり検査時間が短縮できる。
【００３２】
次に、貯湯タンク内の清掃や長期間使用しない場合に行う排水栓２の開栓操作について説明する。ボール操作ハンドル１６を回転操作してボール１０を回転すると、排水は流入路１１からボール１０を通り流出路１２を経て機器外部へ排水される。
【００３３】
このように排水栓２はボール１０を流入路１１に設けた回転ガイド用の支持片１９と、流出路１２に設けた排水を止水する環状のシート１４で支持する構成としたことから、シート２枚でボールを挟み込み、ボールに面圧を加える従来構成に比べ、ボールへの面圧が減少し、回転操作時の接触抵抗が減少するため、長期間放置後の固着により開栓操作ができない、あるいは、操作力が過大となるなど年月が経過するにつれて操作性が低下する現象を防止でき、ボールの回転安定性を維持して操作性が向上する。
【産業上の利用可能性】
【００３４】
以上のように、本発明に係る貯湯式給湯機に備えた排水栓は、長期間にわたり安定した操作性が維持でき、かつ、生産工程における水漏れ検査を削減することができる排水栓を備えた貯湯式給湯機を提供できるので、電気式温水器やヒートポンプ給湯機に適用できる。
【符号の説明】
【００３５】
１  貯湯タンク
２  排水栓
３  排水管
４  貯湯ユニット
５  熱源ユニット
１０  ボール
１１  流入路
１２  流出路
１３  ボール室
１４  シート
１５  Ｏリング
１６  ボール操作ハンドル
１７  Ｏリング
１８  連通口
１９  支持片
【図１】
2013185736.tif 000003
【図２】
2013185736.tif 000004
【図３】
2013185736.tif 000005
【図４】
2013185736.tif 000006
【図５】
2013185736.tif 000007